(57)【要約】【課題】補強板金のような高価な部品を使用することなく圧縮スプリングの飛び出しを防止することができる原稿圧着板の開閉装置を提供する。【解決手段】複写機等の機器本体に取り付けられると共に上部が開口したヒンジケースと、該ヒンジケースの上部に設けた取付ブラケットに挿設される回転軸と、該回転軸に回動自在に取り付けられると共に原稿圧着板を一体的に取り付ける回動アームと、該回動アームの下側に一体的に設けられるカム部材と、上記ヒンジケース内にスライド自在に収められるスライダーと、上記ヒンジケース内に収められると共に前記スライダーの上面を上記カム部材に弾性的に当接せしめる圧縮スプリングから成り、上記ヒンジケースの上部にストッパーシャフトを取り付けて、上記回動アームが最大解放角度から更に開いて、上記取付ブラケットが破壊した場合、上記圧縮スプリングの飛び出し飛散を阻止するように構成する。【選択図】        図１
2010271628.tif 000002
【特許請求の範囲】
【請求項１】
複写機等の機器本体に取り付けられると共に上部が開口したヒンジケースと、該ヒンジケースの上部に設けた取付ブラケットに挿設される回転軸と、該回転軸に回動自在に取り付けられると共に原稿圧着板を一体的に取り付ける回動アームと、該回動アームの下側に一体的に設けられるカム部材と、上記ヒンジケース内にスライド自在に収められるスライダーと、上記ヒンジケース内に収められると共に前記スライダーの上面を上記カム部材に弾性的に当接せしめる圧縮スプリングから成る原稿圧着板の開閉装置において、上記ヒンジケースの上部にストッパーシャフトを取り付けて、上記回動アームが最大解放角度から更に開いて、上記取付ブラケットが破壊した場合、上記圧縮スプリングの飛び出し飛散を阻止するように構成することを特徴とする原稿圧着板の開閉装置。
【請求項２】
上記回動アームが最大解放角度から更に開かないように阻止するよう構成したことを特徴とする請求項１に記載の原稿圧着板の開閉装置。
【請求項３】
上記ストッパーシャフトが上記スライダーの全幅または一部を遮断するように構成したことを特徴とする請求項１または２に記載の原稿圧着板の開閉装置。
【発明の詳細な説明】
【技術分野】
【０００１】
本発明は、複写機、ファクシミリ、スキャナ、プリンタ或いはそれらの複合機における原稿圧着板の開閉装置に関するものである。
【背景技術】
【０００２】
従来の原稿圧着板の開閉装置としては、複写機等の機器本体に取り付けられると共に上部が開口したヒンジケースと、該ヒンジケースの上部に設けた取付ブラケットに挿設される回転軸と、該回転軸に回動自在に取り付けられると共に原稿圧着板を一体的に取り付ける回動アームと、該回動アームの下側に一体的に設けられるカム部材と、上記ヒンジケース内にスライド自在に収められるスライダーと、上記ヒンジケース内に収められると共に前記スライダーの上面を上記カム部材に弾性的に当接せしめる圧縮スプリングから構成されるものがある。
【０００３】
上記原稿圧着板の開閉装置は、回動アームが最大解放角度から更に開方向に加重をかけられると、該回動アームを回転軸を介して回転自在に支持する取付ブラケットが破損する危険性があり、該取付ブラケットの破壊により、スライダーと圧縮スプリングがヒンジケースから飛び出す恐れがあった。
【０００４】
従来、上記問題点に対して、回動アームの支持部材（上記取付ブラケットなど）の破損の危険防止策が施された原稿圧着板の開閉装置はなく、圧縮スプリングのヒンジケースからの飛び出し防止策として、回転軸に補強板金を通して、圧縮スプリングに巻き付けたものはあった。
【０００５】
しかしながら、上記の対策では、原価を出来るだけ抑えることが至上命題である本開閉装置において、補強板金を採用することはコスト高となるため、このような高価な部品を使用することなく圧縮スプリングの飛び出しを防止することのできる原稿圧着板の開閉装置が要請されていた。
【先行技術文献】
【特許文献】
【０００６】
【特許文献１】特開平１０−３１５５７０号公報
【発明の概要】
【発明が解決しようとする課題】
【０００７】
本発明が解決しようとする課題は、補強板金のような高価な部品を使用することなく圧縮スプリングの飛び出しを防止することができる原稿圧着板の開閉装置を提供することにある。
【課題を解決するための手段】
【０００８】
本発明の原稿圧着板の開閉装置は、複写機等の機器本体に取り付けられると共に上部が開口したヒンジケースと、該ヒンジケースの上部に設けた取付ブラケットに挿設される回転軸と、該回転軸に回動自在に取り付けられると共に原稿圧着板を一体的に取り付ける回動アームと、該回動アームの下側に一体的に設けられるカム部材と、上記ヒンジケース内にスライド自在に収められるスライダーと、上記ヒンジケース内に収められると共に前記スライダーの上面を上記カム部材に弾性的に当接せしめる圧縮スプリングから成る原稿圧着板の開閉装置において、上記ヒンジケースの上部にストッパーシャフトを取り付けて、上記回動アームが最大解放角度から更に開いて、上記取付ブラケットが破壊した場合、上記圧縮スプリングの飛び出し飛散を阻止するように構成することを特徴とする。また、上記回動アームが最大解放角度から更に開かないように阻止するよう構成したことを特徴とする。さらに、上記ストッパーシャフトが上記スライダーの全幅または一部を遮断するように構成したことを特徴とする。
【発明の効果】
【０００９】
本発明の原稿圧着板の開閉装置は、補強板金のような高価な部品を使用することなく圧縮スプリングの飛び出しを防止することができる利点がある。
【図面の簡単な説明】
【００１０】
【図１】本発明の原稿圧着板の開閉装置の一実施例を示す斜視図である。
【図２】図１の装置の側面図である。
【図３】図１の装置の回動アームが開いた状態の斜視図である。
【図４】図３の分解斜視図である。
【図５】図３からヒンジケースを除去した部分斜視図である。
【図６】本発明の別の実施例を示す斜視図である。
【発明を実施するための形態】
【００１１】
以下、本発明の実施例について、図面を参照しながら説明する。
図１および図２において、１は、複写機等の機器本体（図示せず）に取り付けられるヒンジケース、２は回動アーム、３はカム部材（図３を参照）、４は回転軸、５はスライダー、６は圧縮スプリング、７はストッパーシャフトである。
【００１２】
上記ヒンジケース１は、上部が開口している。該ヒンジケース１の１組の相向かい合う２つの側面の上部には、取付ブラケット１ａが設けられている。
【００１３】
上記回動アーム２は、その上面に原稿圧着板（図示せず）を一体的に取り付けるようになっており、その回動基部には、回転軸用挿通孔２ａが穿設されている。該回動アーム２の下側には、カム部材３が一体的に設けられている。
【００１４】
上記回転軸４は、上記ヒンジケース１の上記取付ブラケット１ａの挿通孔１ｂ（図４参照）および上記回動アーム２の回転軸用挿通孔２ａ（図４参照）に挿通され、該回動アーム２を上記ヒンジケース１に回動自在に組み付けている。
【００１５】
上記スライダー５は、上記ヒンジケース１の内面に沿ってスライドするように収められている。該スライダー５の上面は、上記回動アーム２のカム部材３のカム面に当接している。（図５参照）
【００１６】
上記圧縮スプリング６は、上記ヒンジケース１の底壁と上記スライダー５との間に収められていて、該スライダー５を上記カム部材３に弾性的に当接せしめるようになっている。
【００１７】
従って、上記回動アーム２に取り付けられた原稿圧着板は、上記圧縮スプリング６の弾発力により、上記スライダー５およびカム部材３等を介して、開く方向に付勢されている。
【００１８】
上記ストッパーシャフト７は、上記ヒンジケース１のストッパーシャフト用挿通孔１ｃ（図４参照）に挿通されている。従って、図５に示すように、上記回動アーム２が最大解放角度から更に開いて、上記回転軸４に過大な力が働いて上記取付ブラケット１ａが破壊しても、上記ストッパーシャフト７が上記スライダー５を押さえ、上記圧縮スプリング６の飛び出し飛散を阻止するようになっている。なお、上記ストッパーシャフト７は、上記回動アーム２が最大解放角度以上に開くのを押さえる機能も兼ね備えている。
【００１９】
上記実施例では、上記ストッパーシャフト７が上記スライダー５の全幅に亘って遮断するように構成されているが、本発明のストッパーシャフトは、これに限定するものではなく、例えば、図６に示すように、上記スライダー５の一部を遮断するように構成してもよい。
【符号の説明】
【００２０】
１  ヒンジケース
１ａ  取付ブラケット
１ｂ  回転軸用挿通孔
１ｃ  ストッパーシャフト用挿通孔
２    回動アーム
２ａ  回転軸用挿通孔
３    カム部材
４    回転軸
５    スライダー
６    圧縮スプリング
７    ストッパーシャフト
【図１】
2010271628.tif 000003
【図２】
2010271628.tif 000004
【図３】
2010271628.tif 000005
【図４】
2010271628.tif 000006
【図５】
2010271628.tif 000007
【図６】
2010271628.tif 000008